(57)【特許請求の範囲】
【請求項１】
柱に梁を接合してなる建物ユニットの保管用支持具において、
短柱状材の側部に、開いた断面形状を有する梁状材が接合された接合体からなり、
短柱状材の上端面に建物ユニットのコーナー部に位置する柱の下端面が載置されるとともに、梁状材の上面材に建物ユニットの開いた断面形状を有する梁の下面材が載置され、梁状材の上面材と建物ユニットの梁の下面材とをボルト止めして用いられる建物ユニットの保管用支持具であって、
複数の各保管用支持具を構成するように接合された短柱状材と梁状材の接合体が、建物ユニットの各コーナー部の下部のそれぞれに配置されてボルト止めされた状態で、該建物ユニットの下面を地面からフォークリフトの爪が差し込み可能な隙間を形成するように浮かせて支持可能にする建物ユニットの保管用支持具。
【請求項２】
前記建物ユニットの梁の下面材に設けられている下部構造体へのボルト取付部が、前記梁状材の上面材へのボルト止め部として用いられる請求項１に記載の建物ユニットの保管用支持具。
【請求項３】
前記短柱状材の上端面に、前記建物ユニットの柱の下端面に設けてあるガイド孔に挿着されるガイドピンを設けてなる請求項１又は２に記載の建物ユニットの保管用支持具。
【請求項４】
前記建物ユニットが柱に梁を接合してなるとき、建物ユニットの柱と材質及び断面形状を同一とする短柱状材に、建物ユニットの梁と材質及び断面形状を同一とする梁状材を接合してなる請求項１〜３のいずれかに記載の建物ユニットの保管用支持具。
【発明の詳細な説明】
【技術分野】
【０００１】
本発明は建物ユニットの保管用支持具に関する。
【背景技術】
【０００２】
建物ユニットは、工場で柱に床梁、天井梁が接合され、必要な内外装を施された箱形骨組構造体であり、工場からトラックに載せられて建築現場に輸送され、建築現場に設けられた基礎の上に設置される。
【０００３】
建物ユニットは、工場の保管用の地面、トラックの荷台等に保管されるとき、建物ユニット下面の汚れ、破損を防ぎ、フォークリフトの爪を建物ユニットの下に差込み易くする必要がある。このため、建物ユニットを保管用支持具の上に支持し、建物ユニットの下面を地面や荷台から浮かせている。
【０００４】
従来の保管用支持具として、特許文献１に記載の如く、建物ユニットの柱の下端面にねじ部材を固定し、このねじ部材に支持脚の上端の取付部を螺着し、支持脚の下端の底板を保管場の地面に配置するものがある。これによれば、建物ユニットに支持具を取付けたまま用いることができ、建物ユニットの下にフォークリフトの爪を差込みできる。
【先行技術文献】
【特許文献】
【０００５】
【特許文献１】特許3041215
【発明の概要】
【発明が解決しようとする課題】
【０００６】
特許文献１に記載の保管用支持具には、以下の問題点がある。
(a)支持脚を建物ユニットの柱の下端面に着脱するとき、柱の下端面にねじ部材を固定し、このねじ部材に支持脚の上端の取付部を着脱するため、二つの部品が必要で、更に、それらの作業のために建物ユニットを宙吊りする必要がある。支持脚への建物ユニットの着脱作業性が悪い。
【０００７】
(b)建物ユニットは、柱の下端面に固定したねじ部材に支持脚を螺着し、この支持脚の底板を保管場の地面に配置する。支持脚は、柱の下端面の範囲内に設けられるにすぎない支持脚の狭い底板だけを接地面として建物ユニットを支持するものであり、安定に欠ける。
【０００８】
本発明の課題は、建物ユニットに取付けられたまま用いられ、建物ユニットの下にフォークリフトの爪を差込み可能にする保管用支持具において、建物ユニットとの着脱作業性を向上するとともに、建物ユニットを安定的に支持することにある。
【課題を解決するための手段】
【０００９】
請求項１に係る発明は、柱に梁を接合してなる建物ユニットの保管用支持具において、短柱状材の側部に、開いた断面形状を有する梁状材が接合された接合体からなり、短柱状材の上端面に建物ユニットのコーナー部に位置する柱の下端面が載置されるとともに、梁状材の上面材に建物ユニットの開いた断面形状を有する梁の下面材が載置され、梁状材の上面材と建物ユニットの梁の下面材とをボルト止めして用いられる建物ユニットの保管用支持具であって、複数の各保管用支持具を構成するように接合された短柱状材と梁状材の接合体が、建物ユニットの各コーナー部の下部のそれぞれに配置されてボルト止めされた状態で、該建物ユニットの下面を地面からフォークリフトの爪が差し込み可能な隙間を形成するように浮かせて支持可能にするようにしたものである。
【００１０】
請求項２に係る発明は、請求項１に係る発明において更に、前記建物ユニットの梁の下面材に設けられている下部構造体へのボルト取付部が、前記梁状材の上面材へのボルト止め部として用いられるようにしたものである。
【００１１】
請求項３に係る発明は、請求項１又は２に係る発明において更に、前記短柱状材の上端面に、前記建物ユニットの柱の下端面に設けてあるガイド孔に挿着されるガイドピンを設けてなるようにしたものである。
【００１２】
請求項４に係る発明は、請求項１〜３のいずれかの発明において更に、前記建物ユニットが柱に梁を接合してなるとき、建物ユニットの柱と材質及び断面形状を同一とする短柱状材に、建物ユニットの梁と材質及び断面形状を同一とする梁状材を接合してなるようにしたものである。
【発明の効果】
【００１３】
（請求項１）
(a)建物ユニットの柱の下端面を支持具の短柱状材の上端面に載置するとともに、建物ユニットの梁の下面材を支持具の梁状材の上面材に載置した上で、梁状材の上面材と建物ユニットの梁の下面材とをボルト止めすることで、建物ユニットを支持具に取付けできる。取外しはその逆になる。支持具の梁状材と建物ユニットの梁とは開いた断面形状を有するのでボルト止め部は外界に広く臨んでいて、支持具と建物ユニットとの着脱作業性は良い。
【００１４】
(b)建物ユニットは、支持具の短柱状材と梁状材の広い接地面を介して、保管場の地面やトラックの荷台等に安定的に支持される。
【００１５】
（請求項２）
(c)前記建物ユニットの梁の下面材に設けられている下部構造体へのボルト取付部が、前記梁状材の上面材へのボルト止め部として用いられる。建物ユニットに格別な加工を施すことなく、建物ユニットを簡素な構造で、確実に支持具に取付けできる。
【００１６】
（請求項３）
(d)前記短柱状材の上端面に、前記建物ユニットの柱の下端面に設けてあるガイド孔に挿着されるガイドピンを設けてなる。建物ユニットを支持具の上に載せるとき、建物ユニットの柱の下端面のガイド孔が、支持具の短柱状材の上端面のガイドピンにガイドされ、正しい取付位置に位置決めされるように挿着されるものになり、建物ユニットの支持具への取付作業性を向上できる。その後、建物ユニットが支持具の上で正しい取付位置から横ずれすることも防止できる。
【００１７】
（請求項４）
(e)前記建物ユニットが柱に梁を接合してなるとき、建物ユニットの柱と材質及び断面形状を同一とする短柱状材に、建物ユニットの梁と材質及び断面形状を同一とする梁状材を接合してなる。建物ユニットの柱と梁の素材を、支持具の短柱状材、梁状材に共用でき、支持具を簡易かつ低コストで製作できる。
【００１８】
但し、建物ユニットの柱、梁の材質及び断面形状にはバリエーションがあるから、支持具を構成する短柱状材、梁状材本体の材質及び断面形状は該支持具に実際に載置される建物ユニットにおけるものと同一でなくても、平行生産されている建物ユニットにおけるものと同一であれば良い。
【図面の簡単な説明】
【００１９】
【図１】図１は建物ユニットの保管用支持具を用いた支持状態を示す模式図である。
【図２】図２は建物ユニットを保管用支持具に着脱する過程を示す模式図である。
【図３】図３は保管用支持具を示し、（Ａ）は正面図、（Ｂ）は平面図、（Ｃ）は端面図である。
【発明を実施するための形態】
【００２０】
本発明は、建物ユニット１００を工場の保管場の地面、トラックの荷台等に保管するとき、フォークリフトの爪を該建物ユニット１００の下に差込み易くするように、図１に示す如く、該建物ユニット１００を支持してその下面を地面や荷台等から浮かせるための保管用支持具１０に関する。
【００２１】
建物ユニット１００は、図２に要部を示す如く、工場で柱１０１の下端部と上端部に床梁１１０と天井梁１２０（不図示）が接合されるとともに、必要な内外装を施された箱形骨組構造体である。
【００２２】
本実施例の建物ユニット１００は、鋼管製柱１０１の下端部と上端部のそれぞれにおいて相交差する側部のそれぞれにＣ形鋼製の各接合片１０４が溶接され、これらの各接合片１０４を介して、これらの各接合片１０４の内側面にＣ形鋼製梁本体１０２、１０３（不図示）が抱着される如くに溶接されて構成される。床梁１１０は梁本体１０２と接合片１０４からなり、天井梁１２０は梁本体１０３と接合片１０４からなる。
【００２３】
保管用支持具１０は、図２、図３に示す如く、短柱状材１１の一側部に梁状材２０が接合されて構成される。尚、図２では建物ユニットの内外装を不図示としている。
【００２４】
本発明の支持具１０は、建物ユニット１００の柱１０１と材質及び断面形状を同一とする短柱状材１１の一側部に、建物ユニット１００の接合片１０４と同一の接合片１３が溶接され、この接合片１３を介して、建物ユニット１００の床梁本体１０２と材質及び断面形状を同一とする梁状材本体１２が抱着される如くに溶接されて構成される。梁状材２０は梁状材本体１２と接合片１３からなる。
【００２５】
短柱状材１１と接合片１３の高さは、建物ユニット１００の下面と保管場の地面やトラックの荷台等との間に、フォークリフトの爪を差込みできる空間を形成できる寸法、例えば100〜200mmからなる。
【００２６】
短柱状材１１は上下両端部に端板１１Ｕ、１１Ｌが溶接され、それらの端板１１Ｕ、１１Ｌにより上端面と下端面を形成している。
【００２７】
尚、支持具１０にあっては、梁状材本体１２の自由端寄りに、梁状材本体１２の上下のフランジ状面材１２Ｕ、１２Ｌの開口を塞ぐように、梁状材本体１２の上面材１２Ｕの下面から梁状材本体１２の下面材１２Ｌの下面に渡るＣ形鋼製補強材１４が溶接される。補強材１４は接合片１３と同一板厚をなし、支持具１０の短柱状材１１の下端面１１Ｌと、接合片１３のフランジ状下面材１３Ｌと、補強材１４のフランジ状下面材１４Ｌが面一をなし、地面や荷台等への水平接地面を形成するものとしている。
【００２８】
また、支持具１０にあっては、梁状材本体１２の自由端寄りで、梁状材本体１２の上面材１２Ｕの上面に平板製スペーサ１５を溶接してある。建物ユニット１００の床梁本体１０２の下面材１０２Ｌが支持具１０の梁状材本体１２の上面材１２Ｕに載置されるとき、上面材１２Ｕと下面材１０２Ｌの間に、スペーサ１５が隙間なく介装されるものになる。
【００２９】
また、短柱状材１１の上端面１１Ｕに、建物ユニット１００の柱１０１の下端面１０１Ｌ（不図示）に設けてあるガイド孔（不図示）に挿着されるガイドピン１６を設けてある。ガイドピン１６は、短柱状材１１の上端面１１Ｕの裏面側に溶接されているナット１６Ａ（図３（Ａ））に取着される。
【００３０】
次に、支持具１０を用いる建物ユニット１００の支持構造について説明する。支持具１０への建物ユニット１００の取付手順は下記(1)〜(3)の順になる。
【００３１】
(1)工場の保管場の地面、トラックの荷台等の建物ユニット１００の設置予定領域で、建物ユニット１００の４つのコーナー部のそれぞれに、支持具１０を配置する。
【００３２】
各支持具１０は、建物ユニット１００の４つのコーナー部で、建物ユニット１００の柱１０１に対応する位置に短柱状材１１が位置付けられ、建物ユニット１００の短手方向の床梁１１０に対応する位置に梁状材２０が位置付けられるように配置される。
【００３３】
(2)フォークリフトで持ち上げられた建物ユニット１００が支持具１０の上に載置される。支持具１０の短柱状材１１の上端面１１Ｕに建物ユニット１００の柱１０１の下端面１０１Ｌが載置されるとともに、梁状材２０の一部である接合片１３の上面材１３Ｕに建物ユニット１００の床梁１１０の一部である接合片１０４の下面材１０４Ｌが載置される。このとき、建物ユニット１００の柱１０１の下端面１０１Ｌのガイド孔が、支持具１０の短柱状材１１の上端面１１Ｕのガイドピン１６にガイドされ、正しい取付位置に位置決めされるように挿着される。
【００３４】
(3)支持具１０の梁状材本体１２の上面材１２Ｕと、建物ユニット１００の床梁本体１０２の下面材１０２Ｌとを接合片１３、１０４を挟んでボルト止めする。ボルト１７が座金１９Ａを介して支持具１０の梁状材本体１２及び接合片１３に設けたボルト挿通孔１７Ａと、建物ユニット１００の床梁本体１０２及び接合片１０４に設けたボルト挿通孔１７Ｂとに挿通され、このボルト１７に座金１９Ｂを介してナット１８が締結される。
【００３５】
作業者は、支持具１０の梁状材本体１２及び接合片１３のＣ形開口からボルト１７及び座金１９Ａを組込み、建物ユニット１００の床梁本体１０２及び接合片１０４のＣ形開口からナット１８及び座金１９Ｂを組込む。
【００３６】
尚、建物ユニット１００の床梁本体１０２の下面材１０２Ｌに設けられている下部構造体（基礎、又は下階建物ユニット）へのボルト取付部（ボルト挿通孔１７Ｂ）が、上述(3)における支持具１０の梁状材本体１２の上面材１２Ｕへのボルト止め部（ボルト挿通孔１７Ｂ）として用いられる。
【００３７】
建物ユニット１００の４つのコーナー部で、柱１０１と床梁１１０の下部に支持具１０が上述の如くにボルト止めされた状態で、支持具１０は建物ユニット１００が工場〜建築現場に輸送される過程で該建物ユニット１００に取付けられたまま用いられ、建物ユニット１００の下にフォークリフトの爪を差込み易くする。
【００３８】
支持具１０から建物ユニット１００を取外す手順は上記(1)〜(3)の逆になる。
【００３９】
従って、本実施例によれば以下の作用効果を奏する。
(a)支持具１０の短柱状材１１の上端面１１Ｕに建物ユニット１００の柱１０１の下端面１０１Ｌが載置されるとともに、梁状材２０の一部である接合片１３の上面材１３Ｕに建物ユニット１００の床梁１１０の一部である接合片１０４の下面材１０４Ｌが載置され、更に、梁状材本体１２の上面材１２Ｕと、建物ユニット１００の床梁本体１０２の下面材１０２Ｌとを接合片１３、１０４を挟んでボルト止めすることで、建物ユニット１００を支持具１０に取付けできる。取外しはその逆になる。支持具１０の梁状材本体１２と建物ユニット１００の床梁本体１０２とは開いた断面形状を有するのでボルト止め部（ボルト挿通孔１７Ｂ）は外界に広く臨んでいて、支持具１０と建物ユニット１００との着脱作業性が良い。
【００４０】
(b)建物ユニット１００は、支持具１０の短柱状材１１と梁状材２０の広い接地面を介して、保管場の地面やトラックの荷台等に安定的に支持される。
【００４１】
(c)前記建物ユニット１００の床梁本体１０２の下面材１０２Ｌに設けられている下部構造体へのボルト取付部（ボルト挿通孔１７Ｂ）が、前記梁状材本体１２の上面材１２Ｕへのボルト止め部（ボルト挿通孔１７Ｂ）として用いられる。建物ユニット１００に格別な加工を施すことなく、建物ユニット１００を簡素な構造で、確実に支持具１０に取付けできる。
【００４２】
(d)前記短柱状材１１の上端面１１Ｕに、前記建物ユニット１００の柱１０１の下端面１０１Ｌに設けてあるガイド孔に挿着されるガイドピン１６を設けてなる。建物ユニット１００を支持具１０の上に載せるとき、建物ユニット１００の柱１０１の下端面１０１Ｌのガイド孔が、支持具１０の短柱状材１１の上端面１１Ｕのガイドピン１６にガイドされ、正しい取付位置に位置決めされるように挿着されるものになり、建物ユニット１００の支持具１０への取付作業性を向上できる。その後、建物ユニット１００が支持具１０の上で正しい取付位置から横ずれすることも防止できる。
【００４３】
(e)前記建物ユニット１００が柱１０１に床梁１１０を接合してなるとき、建物ユニット１００の柱１０１と材質及び断面形状を同一とする短柱状材１１に、建物ユニット１００の床梁１１０と材質及び断面形状を同一とする梁状材２０を接合してなる。建物ユニット１００の柱１０１と床梁１１０の素材を、支持具１０の短柱状材１１、梁状材２０に共用でき、支持具１０を簡易かつ低コストで製作できる。
【００４４】
以上、本発明の実施の形態を図面により記述したが、本発明の具体的な構成はこの実施の形態に限られるものではなく、本発明の要旨を逸脱しない範囲の設計の変更等があっても本発明に含まれる。例えば、短柱状材と梁状材とは接合片を介さず直接接合されていても良い。
【産業上の利用可能性】
【００４５】
本発明によれば、建物ユニットに取付けられたまま用いられ、建物ユニットの下にフォークリフトの爪を差込み可能にする保管用支持具において、建物ユニットとの着脱作業性を向上するとともに、建物ユニットを安定的に支持することができる。
【符号の説明】
【００４６】
１０  保管用支持具
１１  短柱状材
１１Ｕ  上端面
１２  梁状材本体
１２Ｕ  上面材
１３  接合片
１６  ガイドピン
１７  ボルト
１７Ｂ  ボルト挿通孔（ボルト取付部、ボルト止め部）
２０  梁状材
１００  建物ユニット
１０１  柱
１０１Ｌ  下端面
１０２  梁本体
１０２Ｌ  下面材
１０４  接合片
１１０  床梁
【図１】
0005715815.tif 000002
【図２】
0005715815.tif 000003
【図３】
0005715815.tif 000004